(57)【要約】【課題】照射対象物に追尾させて光源の光を容易に照射させることが可能で、さらに照明装置の小型化を図ることが可能で、加えて駆動装置の防水性を容易に確保可能な照明装置を提供する。【解決手段】  照明装置１０は、略平行な光１４Ａを照射する光源１４と、光源１４をその光軸１５に対して垂直に変位可能、または光源１４を軸にして回転可能な光軸可変部１６と、光源１４から照射された略平行な光１４Ａを屈折により照射方向を変化可能で、かつ、略平行な光１４Ａの入射位置により照射方向を異ならせることが可能な光学部材１８とを備えている。【選択図】図２
2012028258.tif 000002
【特許請求の範囲】
【請求項１】
略平行な光を照射する光源と、
前記光源をその光軸に対して垂直に変位可能、または前記光源を軸にして回転可能な光軸可変部と、
前記光源から照射された略平行な光を屈折または反射により照射方向を変化可能で、かつ、前記略平行な光の入射位置により前記照射方向を異ならせることが可能な光学部材と、
を備えた照明装置。
【請求項２】
請求項１に記載の照明装置において、
前記光学部材は、
鋸刃形状に形成され、
その鋸刃形状は照射面の照射範囲と前記光学部材の照射範囲とが比例関係を持つように決定された照明装置。
【発明の詳細な説明】
【技術分野】
【０００１】
本発明は、移動中の照射対象物に追尾させて光源の光を照射可能な照明装置に関する。
【背景技術】
【０００２】
照明装置は、ケースに縦軸を介して回転台が水平方向に回転自在に設けられ、回転台に横軸を介して光源保持部が設けられ、光源保持部に光源が設けられている。
この照明装置によれば、回転台を支える縦軸を軸にして回転台を回転することにより、回転台とともに光源を水平方向に回転することが可能である。
また、光源保持部を支える横軸を軸にして光源保持部を回転することにより、光源保持部とともに光源を鉛直方向に回転することが可能である。
【０００３】
このように、光源を水平方向および鉛直方向に回転可能とすることにより、光源から照射された光を照射対象物に合わせるように調節できる。
例えば、照射対象物の移動中に、移動中の照射対象物に追尾させるよういに光源の光を照射することも可能である（例えば、特許文献１）。
【先行技術文献】
【特許文献】
【０００４】
【特許文献１】特開２００９−７５３４０号公報（段落００２１、段落００２３、図２）
【発明の概要】
【発明が解決しようとする課題】
【０００５】
しかし、特許文献１の照明装置は、図１０に示すように、光源１００を水平方向に回転させて移動中の照射対象物に光源１００の光１００Ａを照射する際に、光源１００の回転角度が小さいときと比べて光源１００の回転角度が大きくなるにつれて光の照射位置Ｐの変位量Ｓが大きくなる。
このため、移動中の照射対象物に合わせて光源１００の光１００Ａを追尾させるためには、回転角度の変化に応じて光源１００の回転速度を調節する必要があり、移動中の照射対象物に追尾させて光源１００の光１００Ａを照射させることが難しい。
【０００６】
さらに、特許文献１の照明装置は、光源１００から照射された光１００Ａを照射対象物に合わせるように調節するために、縦軸および横軸の二軸を備える必要があり、照明装置が大型化する。
【０００７】
加えて、特許文献１の照明装置は、縦軸および横軸の二軸を備えているため、二軸を駆動する駆動装置が大型化する。
このため、照明装置を屋外に設置する場合に駆動装置を覆って防水性を確保することが難しい。
【０００８】
本発明は、前述した課題を解決するためになされたものであり、その目的は、照射対象物に追尾させて光源の光を容易に照射させることが可能で、さらに照明装置の小型化を図ることが可能で、加えて駆動装置の防水性を容易に確保可能な照明装置を提供することにある。
【課題を解決するための手段】
【０００９】
本発明は、略平行な光を照射する光源と、光源をその光軸に対して垂直に変位可能、または光源を軸にして回転可能な光軸可変部と、光源から照射された略平行な光を屈折または反射により照射方向を変化可能で、かつ、略平行な光の入射位置により照射方向を異ならせることが可能な光学部材と、を備えた。
【００１０】
また、本発明は、光学部材は、鋸刃形状に形成され、その鋸刃形状は照射面の照射位置と光学部材の照射位置とが比例関係を持つように決定された。
【発明の効果】
【００１１】
本発明の照明装置によれば、光学部材を備えることにより、光源から照射された略平行な光の照射方向を光学部材で変化可能とした。加えて、光源から照射された略平行な光の入射位置により照射方向を光学部材で異ならせることを可能とした。
よって、移動中の照射対象物に光源の光を照射する際に、光源の移動距離や回転角度が変化した際に光の照射位置を略均一に調節することが可能である。
これにより、光源を一定の移動速度や一定の回転速度で操作できるので、光源の光を移動中の照射対象物に追尾させて容易に照射できるという効果を有する。
【００１２】
さらに、光学部材を備えることにより一軸のみ備える構成とすることが可能である。
このように、従来技術の照明装置で必要とされていた二軸を一軸に減らすことができるので、照明装置の小型化を図ることができるという効果を有する。
【００１３】
加えて、光源を一軸のみで操作できるので、光源を駆動する駆動装置を小型化できる。
これにより、照明装置を屋外に設置する場合に駆動装置を覆って防水性を確保することが容易になるという効果を有する。
【図面の簡単な説明】
【００１４】
【図１】本発明に係る照明装置の第１実施形態を示す斜視図
【図２】図１の照明装置から筐体を外した状態を示す斜視図
【図３】図２のＩ矢視図
【図４】第１実施形態の光学部材を示す斜視図
【図５】第１実施形態の照明装置を示す平面図
【図６】第１実施形態の照明装置を示す正面図
【図７】（Ａ）は本発明に係る照明装置の第２実施形態を示す平面図、（Ｂ）は第２実施形態の照明装置を示す側面図
【図８】（Ａ）は本発明に係る照明装置の第３実施形態を示す平面図、（Ｂ）は第３実施形態の照明装置を示す側面図
【図９】（Ａ）は本発明に係る照明装置の第４実施形態を示す平面図、（Ｂ）は第４実施形態の照明装置を示す側面図
【図１０】従来の照明装置を示す平面図
【発明を実施するための形態】
【００１５】
以下、本発明の実施形態に係る照明装置について図面を参照して説明する。
【００１６】
（第１実施形態）
図１、図２に示すように、本発明の第１実施形態である照明装置１０は、照明装置１０の主要部材を格納する筐体１２と、略平行な光を照射する光源１４と、光源１４をその光軸１５（図６参照）に対して垂直に変位可能な光軸可変部１６と、光源１４から照射された略平行な光１４Ａ（図３参照）を屈折により照射方向を変化可能な光学部材１８と、照射対象物を検知可能な検知手段２２と、検知手段２２からの検知信号に基づいて光軸可変部１６を制御する制御部２４とを備えている。
【００１７】
この照明装置１０は、一例として、光源１４、光軸可変部１６、光学部材１８、検知手段２２や制御部２４等の照明装置１０の主要部材が壁面に埋め込まれた壁面埋込みタイプを例示する。
照明器具１０を壁面埋め込みとすることにより、照明器具１０を空間に露出する部位を減らすことが可能となり駆動音を抑えることができる。
【００１８】
筐体１２は、壁面に埋め込まれた光源１４、光軸可変部１６、光学部材１８、検知手段２２や制御部２４等の照明装置１０の主要部材を目視できないように隠す板状のケーシングである。
この筐体１２は、合成樹脂等の強度を備えた材料で形成され、検知手段２２を露出させる第１開口１２Ａや、光学部材１８を露出させる第２開口１２Ｂを有する。
【００１９】
図３に示すように、光源１４は、光学部材１８に向けて略平行な光１４Ａを照射するように狭角な配光が可能な砲弾型ＬＥＤや、表面実装型ＬＥＤにレンズを備えたものが用いられる。
【００２０】
図２に示すように、光軸可変部１６は、光源１４を光学部材１８に沿わせて移動可能に支える直線状の駆動軸３１と、駆動軸３１に沿わせて光源１４を移動可能な駆動手段３２とを備えている。
駆動手段３２はモータ等のアクチュエータが用いられる。
駆動手段３２を駆動することにより、光源１４を駆動軸３１に沿わせて、図６に示すように、矢印の方向に移動させることができる。
【００２１】
ここで、光源１４から照射された光１４Ａが光学部材１８に入射する位置を「入射位置（照射位置）」という。
光源１４を駆動軸３１に沿わせて矢印の方向に移動させることにより、光源１４が入射位置（照射位置）Ｐ１および入射位置（照射位置）Ｐ２に移動する。
【００２２】
図３、図４に示すように、光学部材１８は、アクリル、ポリカーボネート等のプラスチックや、一般的な光学レンズ等の透過部材からなり、凸レンズ形状の一部となるようにプリズム形状に形成されている（図２も参照）。
この光学部材１８は、光源１４から照射された略平行な光１４Ａを屈折により照射方向を光１４Ｂ（図３参照）に変化可能な部材である。
【００２３】
また、光学部材１８は、図５、図６に示すように、光源１４から照射された略平行な光１４Ａの入射位置Ｐ１および入射位置Ｐ２により照射方向を異ならせることが可能な部材である。
例えば、光源１４が光学部材１８の中心位置（すなわち、入射位置Ｐ１）に位置した状態において、光１４Ｂの照射方向は光軸１５と同軸上になる。
光１４Ｂの照射方向が光軸１５と同軸上になることにより、光１４Ｂで照射位置Ｐ３が照射される。
【００２４】
また、光源１４が光学部材１８の中心位置からＡ１だけ変位した位置（すなわち、入射位置Ｐ２）に位置した状態において、光１４Ｂの照射方向は光軸１５に対してθ１傾斜する。
光１４Ｂの照射方向が光軸１５に対してθ１傾斜することにより、光１４Ｂで照射位置Ｐ４が照射される。照射位置Ｐ４は照射位置Ｐ３に対してＢ１だけ変位した位置である。
【００２５】
ここで、照射面の照射位置Ｐ３および照射位置Ｐ４と光学部材１８の入射位置（照射位置）Ｐ１および入射位置（照射位置）Ｐ２とが比例関係を持つように決められている。
よって、光学部材１８の中心位置（入射位置Ｐ１）から入射位置Ｐ２までの光源１４の位置変位Ａ１と、照射中心（照射位置Ｐ３）から照射位置Ｐ４までの位置変位量Ｂ１との比が等しくなる。
これにより、光源１４の光１４Ｂを移動中の照射対象物に追尾させて容易に照射できる。
【００２６】
図２に示す検知手段２２は、人物等の照射対象物の動きを検知可能で、検知した検知信号を制御部に伝達可能なものである。
この検知手段２２として、一例として、赤外線センサーや画像センサーが用いられている。
【００２７】
制御部２４は、駆動手段３２に電力を供給可能で、かつ、検知手段２２からの検知信号を受けて駆動手段３２に駆動信号を伝達可能に構成されている。
制御部２４から駆動手段３２に駆動信号を伝えることにより、駆動手段３２が駆動して光源１４を駆動軸３１に沿わせて移動させることができる。
よって、光源１４を人物等の照射対象物の動きに追従させた移動することができる。
【００２８】
以上説明したように、第１実施形態の照明装置１０によれば、光学部材１８を備えることにより、光源１４から照射された略平行な光１４Ａの照射方向を光学部材１８で変化可能とした。加えて、光源１４から照射された略平行な光１４Ａの入射位置Ｐ１および入射位置Ｐ２により照射方向を光学部材１８で異ならせることを可能とした。
【００２９】
よって、移動中の照射対象物に光源１４の光１４Ａを照射する際に、光源１４の移動距離（位置変位量）Ａ１と照射位置の位置変位量Ｂ１の比を等しくできる。
これにより、移動中の照射対象物に光源１４の光１４Ａを照射させる際に、光源１４を一定の移動速度で移動できるので、移動中の照射対象物に光源１４の光１４Ｂを追尾させて容易に照射できる。
【００３０】
さらに、光学部材１８を備えることにより、光源１４を直線状に移動させる駆動軸３１を一軸のみ備える構成とすることが可能である。
これにより、従来技術で必要とされていた二軸を一軸に減らすことができるので、照明装置１０の小型化を図ることができる。
【００３１】
加えて、光源１４を一軸のみで操作可能とすることにより、光源１４を駆動する駆動手段３２を小型化できる。
これにより、照明装置１０を屋外に設置する場合に駆動手段３２を覆って防水性を確保することが容易になる。
【００３２】
次に、第２実施形態〜第４実施形態を図７〜図９に基づいて説明する。
なお、第２実施形態〜第４実施形態において第１実施形態と同一・類似部材については同じ符号を付して説明を省略する。
【００３３】
（第２実施形態）
図７（Ａ）、図７（Ｂ）に示す第２実施形態の照明装置４０は、第１実施形態の光学部材１８を光学部材４２に代えたもので、その他の構成は第１実施形態の照明装置１０と同じである。
【００３４】
光学部材４２は、アクリル、ポリカーボネート等のプラスチックや、一般的な光学レンズ等の透過部材からなり、形状が凹レンズ形状の一部であり、屈折により照射方向を変化可能な部材である。
この光学部材４２によれば、光源１４が光学部材４２の中心位置（すなわち、入射位置Ｐ５）に位置した状態において、光１４Ｂの照射方向は光軸１５と同軸上になる。
光１４Ｂの照射方向が光軸１５と同軸上になることにより、光１４Ｂで照射位置Ｐ７が照射される。
【００３５】
また、光源１４が光学部材４２の中心位置からＡ２だけ変位した位置（すなわち、入射位置Ｐ６）に位置した状態において、光１４Ｂの照射方向は光軸１５に対してθ２傾斜する。
光１４Ｂの照射方向が光軸１５に対してθ２傾斜することにより、光１４Ｂで照射位置Ｐ８が照射される。照射位置Ｐ８は照射位置Ｐ７に対してＢ２だけ変位した位置である。
【００３６】
ここで、照射面の照射位置Ｐ７および照射位置Ｐ８と光学部材４２の入射位置（照射位置）Ｐ５および入射位置（照射位置）Ｐ６とが比例関係を持つように決められている。
よって、光学部材４２の中心位置（入射位置Ｐ５）から入射位置Ｐ６までの光源１４の位置変位Ａ２と、照射中心（照射位置Ｐ７）から照射位置Ｐ８までの位置変位量Ｂ２との比が等しくなる。
これにより、光源１４の光１４Ｂを移動中の照射対象物に追尾させて容易に照射できる。
【００３７】
さらに、第２実施形態の照明装置４０によれば、第１実施形態の照明装置１０と同様の効果を得ることができる。
【００３８】
（第３実施形態）
図８（Ａ）、図８（Ｂ）に示す第３実施形態の照明装置５０は、第１実施形態の光軸可変部１６に代えて光軸可変部（図示せず）に代え、さらに第１実施形態の光学部材１８を光学部材５２に代えたもので、その他の構成は第１実施形態の照明装置１０と同じである。
【００３９】
照明装置５０の光軸可変部は、光源１４を軸にして回転可能に支える駆動部と、この駆動部において光源１４を矢印方向に回転可能な駆動手段とを備えている。
この駆動手段はモータ等のアクチュエータが用いられる。
【００４０】
光学部材５２は、一般的な凸面形状の反射部材からなり、反射により照射方向を変化可能な部材である。
この光学部材５２によれば、光源１４が光学部材５２の中心位置（すなわち、入射位置Ｐ９）に位置した状態において、光１４Ｂの照射方向は光軸１５と同軸上になる。
光１４Ｂの照射方向が光軸１５と同軸上になることにより、光１４Ｂで照射位置Ｐ１１が照射される。
【００４１】
また、光源１４が光学部材５２の中心位置からＡ３だけ変位（回動）した位置（すなわち、入射位置Ｐ１０）に位置した状態において、光１４Ｂの照射方向は光軸１５に対してθ３傾斜する。
光１４Ｂの照射方向が光軸１５に対してθ３傾斜することにより、光１４Ｂで照射位置Ｐ１２が照射される。照射位置Ｐ１２は照射位置Ｐ１１に対してＢ３だけ変位した位置である。
【００４２】
ここで、照射面の照射位置Ｐ１２および照射位置Ｐ１１と光学部材５２の入射位置（照射位置）Ｐ９および入射位置（照射位置）Ｐ１０とが比例関係を持つように決められている。
よって、光学部材５２の中心位置（入射位置Ｐ９）から入射位置Ｐ１０までの光源１４の位置変位Ａ３と、照射中心（照射位置Ｐ１１）から照射位置Ｐ１２までの位置変位量Ｂ３との比が等しくなる。
これにより、光源１４の光１４Ｂを移動中の照射対象物に追尾させて容易に照射できる。
【００４３】
さらに、第３実施形態の照明装置５０によれば、第１実施形態の照明装置１０と同様の効果を得ることができる。
【００４４】
（第４実施形態）
図９（Ａ）、図９（Ｂ）に示す第４実施形態の照明装置６０は、第３実施形態の光学部材５２を光学部材６２に代えたもので、その他の構成は第３実施形態の照明装置５０と同じである。
【００４５】
光学部材６２は、一般的な凹面形状の反射部材からなり、反射により照射方向を変化可能な部材である。
この光学部材６２によれば、光源１４が光学部材６２の中心位置（すなわち、入射位置Ｐ１３）に位置した状態において、光１４Ｂの照射方向は光軸１５と同軸上になる。
光１４Ｂの照射方向が光軸１５と同軸上になることにより、光１４Ｂで照射位置Ｐ１５が照射される。
【００４６】
また、光源１４が光学部材６２の中心位置からＡ４だけ変位（回動）した位置（すなわち、入射位置Ｐ１４）に位置した状態において、光１４Ｂの照射方向は光軸１５に対してθ４傾斜する。
光１４Ｂの照射方向が光軸１５に対してθ４傾斜することにより、光１４Ｂで照射位置Ｐ１６が照射される。照射位置Ｐ１６は照射位置Ｐ１５に対してＢ４だけ変位した位置である。
【００４７】
ここで、照射面の照射位置Ｐ１６および照射位置Ｐ１５と光学部材６２の入射位置（照射位置）Ｐ１３および入射位置（照射位置）Ｐ１４とが比例関係を持つように決められている。
よって、光学部材６２の中心位置（入射位置Ｐ１３）から入射位置Ｐ１４までの光源１４の位置変位Ａ４と、照射中心（照射位置Ｐ１５）から照射位置Ｐ１６までの位置変位量Ｂ４との比が等しくなる。
これにより、光源１４の光１４Ｂを移動中の照射対象物に追尾させて容易に照射できる。
【００４８】
さらに、第４実施形態の照明装置６０によれば、第１実施形態の照明装置１０と同様の効果を得ることができる。
【００４９】
なお、本発明に係る照明装置は、前述した第１実施形態〜第４実施形態に限定されるものではなく適宜変更、改良等が可能である。
例えば、第１実施形態〜第４実施形態では、本発明を壁面埋込みタイプの照明装置に適用した例について説明したが、これに限らないで、照明装置の主要部材を壁面に埋め込まないタイプの照明器具に本発明を適用することも可能である。
【００５０】
また、第１実施形態〜第４実施形態では、光学部材１８，４２，５２，６２を一部材で形成した例について説明したが、これに限らないで、例えば、複数の部材を鋸刃形状に組み合わせて形成することも可能である。
すなわち、鋸刃形状に組み合わされた各々の部材は、直線状の照射範囲のうち狙った照射位置に光を向ける形状に形成され、さらに、直線状の照射範囲のうち狙った照射位置に光を等間隔に分割可能に形成されている。
【００５１】
さらに、第１実施形態〜第４実施形態で使用した照明装置、光源、光軸可変部および光学部材等の形状や構成は例示したものに限定するものではなく適宜変更が可能である。
【符号の説明】
【００５２】
１０，４０，５０，６０  照明装置
１４  光源
１４Ａ  光
１５  光軸
１６  光軸可変部
１８，４２，５２，６２  光学部材
Ｐ１，Ｐ２，Ｐ５，Ｐ６，Ｐ９，Ｐ１０，Ｐ１３，Ｐ１４  入射位置（照射位置）
Ｐ３，Ｐ４，Ｐ７，Ｐ８，Ｐ１１，Ｐ１２，Ｐ１５，Ｐ１６  照射位置
【図１】
2012028258.tif 000003
【図２】
2012028258.tif 000004
【図３】
2012028258.tif 000005
【図４】
2012028258.tif 000006
【図５】
2012028258.tif 000007
【図６】
2012028258.tif 000008
【図７】
2012028258.tif 000009
【図８】
2012028258.tif 000010
【図９】
2012028258.tif 000011
【図１０】
2012028258.tif 000012